(57)【要約】【課題】階段通路であっても、浸水しないピット空間を形成して、メンテナンスが容易で開閉動作がスムーズに行える。【解決手段】階段通路１の最上段から下段側に掘り下げてピット３を開口形成し、前記ピット３に開口面を覆う扉部材４を、階段通路１の最上段近傍の支持ピン１０を中心に起伏自在に設けるとともに、扉部材４に階段通路１に連続するステッププレート４ａを形成し、前記扉部材４を、ピット３の開口面を覆う倒伏姿勢と階段通路１を閉鎖する起立姿勢の間で起伏駆動する扉開閉装置５を設けた。【選択図】        図１
2004339726.tif 000002
【特許請求の範囲】
【請求項１】
階段通路の最上段から下段側に掘り下げてピットを開口形成し、
前記ピットに開口面を覆う扉部材を、階段通路の最上段近傍の水平軸心回りに起伏自在に設けるとともに、該階段通路に階段通路に連続する階段部を形成し、
前記扉部材をピットの開口面を覆う倒伏姿勢と階段通路を閉鎖する起立姿勢との間で起伏駆動する扉開閉装置を前記ピットに設けた
ことを特徴とする階段通路の起伏式防水扉装置。
【請求項２】
ピット内で扉部材の基端側にアーム部材を介してバランスウエイトを設け、
扉開閉装置で扉部材を起伏させる扉開閉装置を、水道水圧で駆動される水道圧シリンダとした
ことを特徴とする請求項１記載の階段通路の起伏式防水扉装置。
【発明の詳細な説明】
【０００１】
【発明の属する技術分野】
本発明は、オーバーフローした水が階段通路に浸水するのを防止するための階段通路の防水扉装置を関する。
【０００２】
【従来の技術】
従来、通路入口で倒伏状態で配置された防水扉を起立させて通路入口を閉鎖し、入口から通路への浸水を防止する防水用ゲートが特許文献１に開示されている。この防水用ゲートは、床面を掘り下げてピットを形成し、ピット内に設置された押上ジャッキにより、ピットを覆う防水扉を起立させるように構成され、この防水扉はピットを覆う倒伏位置で歩廊を構成している。
【０００３】
また浮体を利用して防水扉を開閉する特許文献２もある。
【０００４】
【特許文献１】
特開２００１−２５４５６３号（図１）
【０００５】
【特許文献２】
特開２００１−１５２７３９号（図１）
【０００６】
【発明が解決しようとする課題】
ところで、階段通路の上位入口に上記防水用ゲートを設置する場合、ピットが階段入口の外側の床面に形成することになる。このため、防水用ゲートを起立させた閉鎖状態では、防水用ゲートは裏面が止水面となるとともに、オーバーフローした水がピット内に浸水する。このため、水に同伴された泥やごみがピット内に貯まり、使用ごとにピット内を清掃するなどのメンテナンスが必要になるという問題があった。
【０００７】
本発明は、上記問題点を解決して、ピッチ内への浸水を防止できて、メンテナンスが容易で開閉動作をスムーズに行える階段通路の起伏式防水扉装置を提供することを目的とする。
【０００８】
【課題を解決するための手段】
上記目的を達成するために請求項１記載の発明は、階段通路の最上段から下段側に掘り下げてピットを開口形成し、前記ピットに開口面を覆う扉部材を、階段通路の最上段近傍の水平軸心回りに起伏自在に設けるとともに、該階段通路に階段通路に連続する階段部を形成し、前記扉部材をピットの開口面を覆う倒伏姿勢と階段通路を閉鎖する起立姿勢との間で起伏駆動する扉開閉装置を前記ピットに設けたものである。
【０００９】
上記構成によれば、階段通路の最上段から下段にピットを形成して、階段部を有する扉部材を階段通路の最上段近傍の水平軸心付近を中心に上下方向に回動して起伏させることにより、階段通路を閉鎖可能に構成したので、ピットへの浸水量を極めて少なくすることができ、泥やゴミの堆積がほとんどないので、メンテナンスが不要となる。
【００１０】
また請求項２記載の発明は、ピット内で扉部材の基端側にアーム部材を介してバランスウエイトを設け、扉開閉装置で扉部材を起伏させる扉開閉装置を、水道水圧で駆動される水道圧シリンダとしたものである。
【００１１】
上記構成によれば、停電などに比較して断水されることが少ない水道圧シリンダを駆動源として扉部材を開閉するので、緊急時に確実に対応することができる。また、倒伏姿勢で扉部材が下方に傾斜されて起立駆動に回動に大きい駆動力が必要であるが、バランスウエイトにより扉部材の駆動力を補助することができ、小さい水道圧であっても確実に扉部材を閉動することができる。
【００１２】
【発明の実施の形態】
ここで、本発明に係る階段通路の起伏式防水扉装置の第１の実施の形態を図１〜図５に基づいて説明する。
【００１３】
図１，図２に示すように、階段通路１の上位入口部には左右一対の支柱部材２Ｒ，２Ｌが立設配置され、さらに左右の側壁部間には、階段床部を掘り下げてピット３が形成されており、このピット３には、開口面を覆う開閉自在な扉部材４と、扉部材４を起伏駆動する扉開閉装置５が設けられている。
【００１４】
この扉部材４は、階段通路１の階段部に連続する複数段（図では３段）のステッププレート（階段部）４ａと、ステッププレート４ａの左右両縁から上部に立設された左右一対の端板４ｂと、最上段のステッププレート４ａの左右両縁から下方に垂設された左右一対の支持板４ｃとで構成されている。そして、最上段のステッププレート４ａの近傍で、支持板４ｃから両側に水平軸方向の支持ピン１０がピット３に対応する側壁の軸受部３ａに回動自在に支持されている。前記ステッププレート４ａは、階段用歩廊として使用される踏み面に多数の凸面または溝からなる滑り止め加工が施されるか、またはタイルなどの他の材料からなる滑り止め部材が取り付けられ、滑り止めと美観の向上が図られている。
【００１５】
前記扉開閉装置５は、ピット３の開口面を覆う倒伏姿勢と、階段通路１を遮蔽する起立姿勢の間で扉部材４を起伏開閉駆動するもので、扉部材４の基端側に突設されたアーム部材６に支持ロッド６ａを介して揺動自在に支持されたバランスウエイト７と、複数または単数（図では２本）の水道圧シリンダ８と、水道圧シリンダ８により扉部材４を起伏させるワイヤ掛け機構９とで構成されている。
【００１６】
前記水道圧シリンダ８の本体８ａはピット３内に左右方向に横置き固定されており、ワイヤ掛け機構９は、両水道圧シリンダ８のピストンロッド８ｂの先端部に連結された連結部材８ｃに連結された左右開閉ワイヤ１１Ｒ，１１Ｌは、水道圧シリンダ８の基端側に配置された第１シーブ１２Ｒ，１２Ｌを介して左支柱部材２Ｌの下部に配置された第２シーブ１３Ｒ，１３Ｌにそれぞれ巻き掛けられている。そして、左開閉ワイヤ１１Ｌは左支柱部材２Ｌ内の上部の第３シーブ１４Ｌから扉部材４の左側端板３ｂの連結ピン１６Ｌに連結される。さらに右開閉ワイヤ１１Ｒは、右支柱部材２Ｒの下部に配置された中間シーブ１５と支柱部材２Ｒ内の上部の第３シーブ１４Ｒを介して扉部材４の右側端板３ｂの連結ピン１６Ｒに連結されている。
【００１７】
また前記支柱部材２Ｒ，２Ｌには、左右側端板３ｂの上縁部が当接される面にシール部材１７がそれぞれ取り付けられている。
上記構成において、警報や気象情報などにより、階段通路１が浸水するおそれがあると、管理人が管理室の操作して水道圧シリンダ８に給水し、水道圧シリンダ８を進展させることにより、左右開閉ワイヤ１１Ｒ，１１Ｌをそれぞれ引っ張り、倒伏姿勢の扉部材４を支持ピン１０を中心に上方に回動させて起立させ、左右端板４ｂ，４ｂをそれぞれシール部材１７，１７にそれぞれ圧接させる。
【００１８】
上記構成によれば、扉部材４により階段通路１の上位入口を閉鎖し、シール部材１７，１７により水漏れを防止してオーバーフロー水の階段通路１への浸水を効果的に防止することができる。また、ピット３への浸水量を少なくすることができ、泥やゴミの堆積がほとんどないので、メンテナンスが不要となり、運転コストの低減に寄与することができる。
【００１９】
また、水道は停電などに比較して断水されることが少なく、この水道水圧を駆動源とする水道圧シリンダ８を使用して扉部材４を開閉するので、緊急時に確実に対応することができる。また、倒伏姿勢で下方に傾斜している扉部材４を起立させるために大きい駆動力が必要であるが、バランスウエイト７により扉部材４の駆動力を効果的に補助することができ、小さい水道圧であっても確実に扉部材４を開閉動することができる。
【００２０】
次に図６〜図１０を参照して起伏式防水扉装置の第２の実施の形態を説明する。なお、先の実施の形態と同一部材には同一符号を付して説明を省略する。
ピット３の開口面を覆う倒伏姿勢と、階段通路１を遮蔽する起立姿勢の間で扉部材４を起伏駆動する扉開閉装置２１は、扉部材４の基端側に突設されたアーム部材６に支持部材６ａを介して揺動自在に支持されたバランスウエイト７と、扉部材４の底部側でピット３内に設置されて直接扉部材４を起伏駆動する左右一対で２組の水道圧シリンダ２２により構成されている。前記左右の組の水道圧シリンダ２２はそれぞれ、本体２２ａの基端部がピット３の床面３ｂで所定距離離れた位置に支持部材２３を介して揺動自在に支持され、ピストンロッド２２ｂが扉部材４の下面のリブ板４ｄに設けられた連結部材２４に回動自在に連結され、二等辺三角形を構成するように配置されている。さらに、各水道圧シリンダ２２は、扉部材４の倒伏姿勢で階段通路１の下位側に傾斜され、扉部材４の起立姿勢で階段通路１の略横断面に沿う方向に傾斜されている。
【００２１】
したがって、扉部材４によりピット３を覆う倒伏姿勢から各水道圧シリンダ２２に水道水を供給してそれぞれ進展させることにより、扉部材４を支持ピン１０を中心に回動させ、左右ボックスの上面（前面）をそれぞれ支柱部材２Ｒ，２Ｌのシール部材１７，１７にそれぞれ圧接させ起立姿勢とし、これにより階段通路の上位入口を閉鎖する。
【００２２】
上記構成によれば、第１の実施の形態と同様の作用効果を奏することができる。また扉部材４の底側に配置された複数本の水道圧シリンダ２２により直接扉部材４を起伏駆動するように構成したので、構造が簡単となり、メンテナンスが容易でかつ扉部材４の左右両側に突出する部材もなく、全体をコンパクトに構成することができる。
【００２３】
なお、上記第１，第２の実施の形態では、扉部材４の端板４ｂ，４ｂの直線状の上面を支柱部材２Ｒ，２Ｌのシール部材１７，１７に当接させるように構成したが、図１４に示すように、端板４ｂ，４ｂを無くしてステッププレート４ａを延長させ、ステッププレート４ａの上端縁と、階段型の側壁部４２に設けられたシール部材４１とを圧接するように構成してもよい。
【００２４】
次に図１１〜図１３を参照して階段通路の起伏式防水扉装置の第３の実施の形態を説明する。なお、先の実施の形態と同一部材には同一符号を付して説明を省略する。この第３の実施の形態は、扉開閉装置３１を扉部材４の左右両側に配置したものである。
【００２５】
すなわち、扉部材４の両側には、下面および内面が開放されて支持ピン１０が取り付けられた受動ボックス４ｅが取り付けられ、扉開閉装置３１は、本体３２ａの基端部がピット３の床面３ｂに支持部材３３を介して揺動自在に支持された左右一対の水道圧シリンダ３２により構成され、そのピストンロッド３２ａは受動ボックス４ｅのコーナ部近傍に連結部材３４に回動自在に連結されている。そして両水道圧シリンダ３２は、階段通路１の縦断面に平行な平面上を揺動自在で、扉部材４の倒伏姿勢で階段通路１の下位側に傾斜され、扉部材４の起立姿勢で略鉛直方向に起立されている。
【００２６】
したがって、各水道圧シリンダ３２に水道水を供給してそれぞれ進展させることにより、扉部材４を支持ピン１０を中心に上方に回動させて起立姿勢とし、左右ボックス４ｅ，４ｅの上面をそれぞれ支柱部材２Ｒ，２Ｌのシール部材１７，１７にそれぞれ圧接させて階段通路１の上位入口を閉鎖することができる。
【００２７】
上記構成によれば、第１の実施の形態と同様の作用効果を奏することができる。また扉部材４の左右両側でボックス４ｅ内に配置された複数本の水道圧シリンダ２２により直接扉部材４を起伏駆動するように構成したので、構造が簡単となり、メンテナンスが容易となる。
【００２８】
なお、上記実施の形態では、階段通路１の最上段としたが、階段通路１の途中の踊り場などであってもよい。
【００２９】
【発明の効果】
以上に述べたごとく請求項１記載の発明によれば、停電などに比較して断水されることが少ない水道圧シリンダを駆動源として扉部材を開閉するので、緊急時に確実に対応することができる。また、倒伏姿勢で扉部材が下方に傾斜されて起立駆動に回動に大きい駆動力が必要であるが、バランスウエイトにより扉部材の駆動力を補助することができ、小さい水道圧であっても確実に扉部材を閉動することができる。
【００３０】
また請求項２記載の発明によれば、停電などに比較して断水されることが少ない水道圧シリンダを駆動源として扉部材を開閉するので、緊急時に各自にに対応することができる。また、非使用姿勢で下方に傾斜して起立方向への扉部材の回動に大きい駆動力が必要であるが、バランスウエイトにより扉部材の駆動力を補助することができるので、小さい水道圧であっても確実に扉部材を閉動することができる。
【図面の簡単な説明】
【図１】本発明に係る階段通路の防水扉装置の第１の実施の形態を示す通路閉鎖状態の概略斜視図である。
【図２】同防水扉装置の通路開放状態を示す概略斜視図である。
【図３】同防水扉装置の通路開放状態を示す側面断面図である。
【図４】同防水扉装置の通路開放状態を示す平面断面図である。
【図５】同防水扉装置の通路開放状態を示す正面断面図である。
【図６】本発明に係る階段通路の防水扉装置の第２の実施の形態を示す通路閉鎖状態の概略斜視図である。
【図７】同防水扉装置の通路開放状態を示す概略斜視図である。
【図８】同防水扉装置の通路開放状態を示す側面断面図である。
【図９】同防水扉装置の通路開放状態を示す平面断面図である。
【図１０】同防水扉装置の通路開放状態を示す正面断面図である。
【図１１】本発明に係る階段通路の防水扉装置の第３の実施の形態を示す側面断面図である。
【図１２】同防水扉装置の通路開放状態を示す平面断面図である。
【図１３】同防水扉装置の通路開放状態を示す正面断面図である。
【図１４】防水扉装置のシール部の変形例を示す側面図である。
【符号の説明】
１    階段通路
３    ピット
４    扉部材
４ａ  ステッププレート
４ｂ  端板
４ｃ  支持板
５    扉開閉装置
６    アームプレート（アーム部材）
７    バランスウエイト
８    水道圧シリンダ
９    ワイヤ掛け機構
１０    支持ピン
１１Ｒ，１１Ｌ  開閉ワイヤ
１７    シール部材
２１    扉開閉装置
２２    水道圧シリンダ
３１    扉開閉装置
３２    水道圧シリンダ
【図１】
2004339726.tif 000003
【図２】
2004339726.tif 000004
【図３】
2004339726.tif 000005
【図４】
2004339726.tif 000006
【図５】
2004339726.tif 000007
【図６】
2004339726.tif 000008
【図７】
2004339726.tif 000009
【図８】
2004339726.tif 000010
【図９】
2004339726.tif 000011
【図１０】
2004339726.tif 000012
【図１１】
2004339726.tif 000013
【図１２】
2004339726.tif 000014
【図１３】
2004339726.tif 000015
【図１４】
2004339726.tif 000016